(57)【要約】【課題】  ＭＩＭＯアンテナを備えた無線端末装置が受信する、無線基地局装置からの電波の到来方向を検出することができる無線通信システム、無線端末装置、無線基地局装置を提供することを目的とする。【解決手段】  無線端末装置ＳＳおよび無線基地局装置ＢＳがＭＩＭＯアンテナを備え、このＭＩＭＯアンテナから受信する電波の遅延時間差を用いて無線端末装置ＳＳと無線基地局装置ＢＳとの間の距離である第１の基地局端末間距離および第２の基地局端末間距離を算出し、無線基地局装置ＢＳを基準とした無線端末装置ＳＳの位置を無線端末装置へ通知することで、無線端末装置ＳＳが受信する無線基地局装置ＢＳからの電波の到来方向を無線端末装置ＳＳへ表示する。【選択図】  図４
2010117212.tif 000002
【特許請求の範囲】
【請求項１】
第１のアンテナおよび第２のアンテナを備えて無線で通信する無線端末装置と、公衆網に接続され第１の指向性アンテナおよび第２の指向性アンテナを備えて前記無線端末装置と無線で通信し無線基地局装置とを有する無線通信システムであって、
前記無線端末装置は、
前記第１のアンテナおよび前記第２のアンテナで、前記第１の指向性アンテナからの電波を受信した際に生じる前記第１のアンテナおよび前記第２のアンテナでの受信時間差である遅延時間を検出する第１の遅延時間検出手段と、
前記第１の遅延時間検出手段によって検出された遅延時間に基づき、前記第１のアンテナと前記第１の指向性アンテナとの間の距離である第１の基地局端末間距離を算出する第１の算出手段と、
前記第１の算出手段によって算出した前記第１の基地局端末間距離を前記第１のアンテナまたは前記第２のアンテナを用いて前記無線基地局装置へ通知する距離通知手段と、
自らの無線端末装置がどの方向を向いているかを測定する方位測定手段と、
前記無線基地局装置から通知される自らの無線端末装置の位置情報、および前記方位測定手段によって測定された方位を基に、前記無線基地局装置からの電波の到来方向を算出する電波到来方向算出手段と、
前記電波到来方向算出手段によって算出された前記無線基地局装置からの電波の到来方向を報知する報知手段と
を有し、
前記無線基地局装置は、
前記第１の指向性アンテナおよび前記第２の指向性アンテナで、前記第１のアンテナからの電波を受信した際に生じる前記第１の指向性アンテナおよび前記第２の指向性アンテナでの受信時間差である遅延時間を検出する第２の遅延時間検出手段と、
前記第２の遅延時間検出手段によって検出された遅延時間に基づき、前記第１のアンテナと前記第２の指向性アンテナとの間の距離である第２の基地局端末間距離を算出する第２の算出手段と、
前記第２の算出手段によって算出した第２の基地局端末間距離、前記第１の基地局端末間距離、および前記第１の指向性アンテナと前記第２の指向性アンテナとの距離から、自らの無線基地局装置を基準とした前記無線端末装置の位置を算出する位置算出手段と、
前記位置算出手段によって算出した前記無線端末装置の位置を前記第１の指向性アンテナまたは前記第２の指向性アンテナを用いて前記無線端末装置へ通知する位置通知手段と
を有することを特徴とする無線通信システム。
【請求項２】
前記報知手段は、前記無線端末装置に備えられた表示部に方向を表示することを特徴とする請求項１に記載の無線通信システム。
【請求項３】
第１のアンテナおよび第２のアンテナを備え、公衆網に接続され第１の指向性アンテナおよび第２の指向性アンテナを備えた無線基地局装置と無線で通信する無線端末装置であって、
前記第１のアンテナおよび前記第２のアンテナで、前記第１の指向性アンテナからの電波を受信した際に生じる前記第１のアンテナおよび前記第２のアンテナでの受信時間差である遅延時間を検出する第１の遅延時間検出手段と、
前記第１の遅延時間検出手段によって検出された遅延時間に基づき、前記第１のアンテナと前記第１の指向性アンテナとの間の距離である第１の基地局端末間距離を算出する第１の算出手段と、
前記第１の算出手段によって算出した前記第１の基地局端末間距離を前記第１のアンテナまたは前記第２のアンテナを用いて前記無線基地局装置へ通知する距離通知手段と、
自らの無線端末装置がどの方向を向いているかを測定する方位測定手段と、
前記無線基地局装置から通知される自らの無線端末装置の位置情報、および前記方位測定手段によって測定された方位を基に、前記無線基地局装置からの電波の到来方向を算出する電波到来方向算出手段と、
前記電波到来方向算出手段によって算出された前記無線基地局装置からの電波の到来方向を報知する報知手段と
を有することを特徴とする無線端末装置。
【請求項４】
前記報知手段は、前記無線端末装置に備えられた表示部に表示することを特徴とする請求項３に記載の無線端末装置。
【請求項５】
公衆網に接続され第１の指向性アンテナおよび第２の指向性アンテナを備え、第１のアンテナおよび第２のアンテナを備えて無線で通信する無線端末装置と無線で通信する無線基地局装置であって、
前記第１の指向性アンテナおよび前記第２の指向性アンテナで、前記第１のアンテナからの電波を受信した際に生じる前記第１の指向性アンテナおよび前記第２の指向性アンテナでの受信時間差である遅延時間を検出する第２の遅延時間検出手段と、
前記第２の遅延時間検出手段によって検出された遅延時間に基づき、前記第１のアンテナと前記第２の指向性アンテナとの間の距離である第２の基地局端末間距離を算出する第２の算出手段と、
前記第２の算出手段によって算出した第２の基地局端末間距離、前記第１の基地局端末間距離、および前記第１の指向性アンテナと前記第２の指向性アンテナとの距離から、自らの無線基地局装置を基準とした前記無線端末装置の位置を算出する位置算出手段と、
前記位置算出手段によって算出した前記無線端末装置の位置を前記第１の指向性アンテナまたは前記第２の指向性アンテナを用いて前記無線端末装置へ通知する位置通知手段と
を有することを特徴とする無線基地局装置。
【発明の詳細な説明】
【技術分野】
【０００１】
本発明は、無線端末装置が無線基地局装置から受信する電波の到来方向を報知する無線通信システム、無線端末装置、および無線基地局装置に関する。
【背景技術】
【０００２】
無線端末装置は、無線基地局装置のアンテナから送信される電波を受信することによって無線通信を行うため、無線基地局装置から離れた電波が届きにくい場所では無線端末装置の通信状況が劣化する。このような無線基地局装置から離れた場所は、他の無線基地局装置の通信エリアとの境界付近であり、複数の無線基地局からの電波を受信している。このとき、ユーザが無線端末装置を使用して通信を行うには、通信状況が改善される場所へ移動して通信を行うことが必要である。このような要求に応えるために、無線端末装置に電波の到来方向を検出するための複数の指向性のアンテナを備え、指向性のアンテナで検出された電波の強さと電波の到来方向を無線端末装置に表示等を行う技術が知られている（例えば、特許文献１）。
【０００３】
しかしながら、上記の特許文献１に記載の技術では、ＳＩＳＯ（Ｓｉｎｇｌｅ  Ｉｎｐｕｔ  Ｓｉｎｇｌｅ  Ｏｕｔｐｕｔ）アンテナを備える無線通信システムで使用される無線端末装置は無指向性のアンテナが採用されているため、その構成のみでは無線端末装置が受信する電波の到来方向を取得することができない。そのため、ＳＩＳＯアンテナの他に電波の到来方向を検出するためのアンテナを備えており、無線端末装置の電池の消耗が激しくなったり無線端末装置の大きさやデザインが制限されたりするという問題がある。
【０００４】
また、従来の無線通信システムにおける無線基地局装置および無線端末装置に夫々のアンテナが１本ずつ備えられているＳＩＳＯアンテナだけでなく、通信速度の高速化や通信状況の改善のために、無線基地局装置と無線端末装置のアンテナの数が、夫々複数本ずつ備えられているＭＩＭO（Ｍｕｌｔｉｐｌｅ  Ｉｎｐｕｔ  Ｍｕｌｔｉｐｌｅ  Ｏｕｔｐｕｔ）アンテナが知られている。ＭＩＭＯアンテナが備えられている無線通信システムでは、無線端末装置が複数のアンテナで受信する電波の受信時間に差が生じることから、自らの無線端末装置と無線通信システムとの距離を測定することができる。
【特許文献１】特開２００２−１６９７５号公報
【発明の開示】
【発明が解決しようとする課題】
【０００５】
しかしながら、無線端末装置がＭＩＭＯアンテナを備えるのみでは無線端末装置が受信する電波の到来方向を検出することができないという問題がある。
【０００６】
本発明は、上記問題点を解決するためになされたもので、ＭＩＭＯアンテナを備えた無線端末装置が受信する、無線基地局装置からの電波の到来方向を検出することができる無線通信システム、無線端末装置、および無線基地局装置を提供することを目的とする。
【課題を解決するための手段】
【０００７】
上記目的を達成するために、本発明による無線通信システムは、第１のアンテナおよび第２のアンテナを備えて無線で通信する無線端末装置と、公衆網に接続され第１の指向性アンテナおよび第２の指向性アンテナを備えて前記無線端末装置と無線で通信し無線基地局装置とを有する無線通信システムであって、前記無線端末装置は、前記第１のアンテナおよび前記第２のアンテナで、前記第１の指向性アンテナからの電波を受信した際に生じる前記第１のアンテナおよび前記第２のアンテナでの受信時間差である遅延時間を検出する第１の遅延時間検出手段と、前記第１の遅延時間検出手段によって検出された遅延時間に基づき、前記第１のアンテナと前記第１の指向性アンテナとの間の距離である第１の基地局端末間距離を算出する第１の算出手段と、前記第１の算出手段によって算出した前記第１の基地局端末間距離を前記第１のアンテナまたは前記第２のアンテナを用いて前記無線基地局装置へ通知する距離通知手段と、自らの無線端末装置がどの方向を向いているかを測定する方位測定手段と、前記無線基地局装置から通知される自らの無線端末装置の位置情報、および前記方位測定手段によって測定された方位を基に、前記無線基地局装置からの電波の到来方向を算出する電波到来方向算出手段と、前記電波到来方向算出手段によって算出された前記無線基地局装置からの電波の到来方向を報知する報知手段とを有し、前記無線基地局装置は、前記第１の指向性アンテナおよび前記第２の指向性アンテナで、前記第１のアンテナからの電波を受信した際に生じる前記第１の指向性アンテナおよび前記第２の指向性アンテナでの受信時間差である遅延時間を検出する第２の遅延時間検出手段と、前記第２の遅延時間検出手段によって検出された遅延時間に基づき、前記第１のアンテナと前記第２の指向性アンテナとの間の距離である第２の基地局端末間距離を算出する第２の算出手段と、前記第２の算出手段によって算出した第２の基地局端末間距離、前記第１の基地局端末間距離、および前記第１の指向性アンテナと前記第２の指向性アンテナとの距離から、自らの無線基地局装置を基準とした前記無線端末装置の位置を算出する位置算出手段と、前記位置算出手段によって算出した前記無線端末装置の位置を前記第１の指向性アンテナまたは前記第２の指向性アンテナを用いて前記無線端末装置へ通知する位置通知手段とを有することを特徴とする。
【０００８】
また、上記目的を達成するために、本発明による無線端末装置は、第１のアンテナおよび第２のアンテナを備え、公衆網に接続され第１の指向性アンテナおよび第２の指向性アンテナを備えた無線基地局装置と無線で通信する無線端末装置であって、前記第１のアンテナおよび前記第２のアンテナで、前記第１の指向性アンテナからの電波を受信した際に生じる前記第１のアンテナおよび前記第２のアンテナでの受信時間差である遅延時間を検出する第１の遅延時間検出手段と、前記第１の遅延時間検出手段によって検出された遅延時間に基づき、前記第１のアンテナと前記第１の指向性アンテナとの間の距離である第１の基地局端末間距離を算出する第１の算出手段と、前記第１の算出手段によって算出した前記第１の基地局端末間距離を前記第１のアンテナまたは前記第２のアンテナを用いて前記無線基地局装置へ通知する距離通知手段と、自らの無線端末装置がどの方向を向いているかを測定する方位測定手段と、前記無線基地局装置から通知される自らの無線端末装置の位置情報、および前記方位測定手段によって測定された方位を基に、前記無線基地局装置からの電波の到来方向を算出する電波到来方向算出手段と、前記電波到来方向算出手段によって算出された前記無線基地局装置からの電波の到来方向を報知する報知手段とを有することを特徴とする。
【０００９】
また、上記目的を達成するために、本発明による無線基地局装置は、公衆網に接続され第１の指向性アンテナおよび第２の指向性アンテナを備え、第１のアンテナおよび第２のアンテナを備えて無線で通信する無線端末装置と無線で通信する無線基地局装置であって、前記第１の指向性アンテナおよび前記第２の指向性アンテナで、前記第１のアンテナからの電波を受信した際に生じる前記第１の指向性アンテナおよび前記第２の指向性アンテナでの受信時間差である遅延時間を検出する第２の遅延時間検出手段と、前記第２の遅延時間検出手段によって検出された遅延時間に基づき、前記第１のアンテナと前記第２の指向性アンテナとの間の距離である第２の基地局端末間距離を算出する第２の算出手段と、前記第２の算出手段によって算出した第２の基地局端末間距離、前記第１の基地局端末間距離、および前記第１の指向性アンテナと前記第２の指向性アンテナとの距離から、自らの無線基地局装置を基準とした前記無線端末装置の位置を算出する位置算出手段と、前記位置算出手段によって算出した前記無線端末装置の位置を前記第１の指向性アンテナまたは前記第２の指向性アンテナを用いて前記無線端末装置へ通知する位置通知手段とを有することを特徴とする。
【発明の効果】
【００１０】
本発明によれば、ＭＩＭＯアンテナを備えた無線端末装置が、無線基地局装置から無線端末装置への電波の到来方向を検出することができる。
【発明を実施するための最良の形態】
【００１１】
以下、本発明の実施例を、図面を参照して説明する。
【実施例１】
【００１２】
図１は、本発明の一実施の形態を示す無線通信システムのブロック図である。  
無線通信システムは、無線端末装置ＳＳ、無線端末装置と無線で通信し、ネットワークＮＷに接続される無線基地局装置ＢＳ１、ＢＳ２、ＢＳ３、…、ＢＳｎを有している。図１では、無線端末装置ＳＳは１個のみ示しているが、夫々の無線基地局装置ＢＳに複数の無線端末装置ＳＳが接続するようになっている。
【００１３】
図２は、無線通信システムに備えられた無線端末装置ＳＳの構成を示したブロック図である。  
無線端末装置ＳＳは、制御部１０、無線制御部２０、アンテナ（第１のアンテナ）ＡＳ１、アンテナ（第２のアンテナ）ＡＳ２、メモリ３０、方位測定部４０、表示部（報知手段）５０を備えている。制御部１０には、遅延時間検出部（第１の遅延時間検出手段）１１、第１の基地局端末間距離を算出する第１の算出部（第１の算出手段）１２、電波到来方向算出部（電波到来方向算出手段）１３が備えられている。
【００１４】
制御部１０は、無線基地局装置ＢＳと通信を行う際に無線周波数や送受信のタイミングなどを制御する無線制御部２０を介してアンテナＡＳ１またはＡＳ２で電波の送受信を行うように制御したり、送受信する情報をメモリ３０に記憶したりするものである。
【００１５】
また、遅延時間検出部１１は、図２の例では２つ備えられているアンテナＡＳ１、ＡＳ２で無線基地局装置の同一のアンテナからの電波を受信した場合に、無線基地局装置のアンテナから送信された電波がアンテナＡＳ１へ到達する時間と、無線基地局装置の同一のアンテナから送信された電波がアンテナＡＳ２へ到達する時間との到達時刻の差である遅延時間を検出するものである。第１の算出部１２は、遅延時間検出部１１によって遅延時間が検出されると、その遅延時間を受信し、遅延時間を基に無線基地局装置ＢＳとの距離である第１の基地局端末間距離（例えばアンテナＡＳ１と後述するアンテナＡＢ１とを結ぶ直線距離）を算出するものである。電波到来方向算出部１３は、無線基地局装置ＢＳから無線端末装置ＳＳ及び無線基地局装置ＢＳの位置の情報を受信すると、それらの位置を基に電波到来方向を算出するものである。電波到来方向が算出されると、制御部１０は表示部５０に電波到来方向を表示するようになっている。
【００１６】
さらに、方位測定部４０は、方位磁針などの方位・方角を測定することができるもので構成され、無線端末装置の東西南北などの方位・方角に向いているかを測定するものである。電波到来方向算出部１３によって電波到来方向が算出された場合に、電波到来方向と逐次変化する無線端末装置ＳＳの方位・方角を加味して表示部５０に表示するようになっている。
【００１７】
このように構成することで、無線端末装置ＳＳの移動に伴って変化する、無線基地局装置ＢＳからの電波の到来方向を表示することができる。
【００１８】
図３は、無線通信システムに備えられた無線基地局装置ＢＳの構成を示したブロック図である。  
無線基地局装置ＢＳは、制御部６０、無線制御部７０、アンテナ（第１の指向性アンテナ）ＡＢ１、アンテナ（第２の指向性アンテナ）ＡＢ２、メモリ８０を備えている。制御部６０には、遅延時間検出部（第２の遅延時間検出手段）６１、第２の算出部（第２の算出手段）６２、位置算出部６３が備えられている。
【００１９】
制御部６０は、無線端末装置ＳＳと通信を行う際にどのチャネルを使用して通信するかなど無線周波数を割当したり送受信のタイミングなどを制御する無線制御部７０を介してアンテナＡＢ１またはＡＢ２で電波の送受信を行うように制御したり、送受信する情報をメモリ８０に記憶したりするものである。アンテナＡＢ１、ＡＢ２は、無線端末装置ＳＳの位置を一箇所に特定するために指向性のアンテナで構成され、無線端末装置ＳＳと無線で通信するものである。なお、指向性のアンテナを用いることによって無線端末装置ＳＳの位置を特定する方法については、図４の説明の際に詳述する。
【００２０】
また、遅延時間検出部６１は、図３の例では２つ備えられているアンテナＡＢ１、ＡＢ２へ無線端末装置ＳＳの同一のアンテナ（例えばＡＳ１）から電波を受信した場合に、無線端末装置のアンテナから送信された電波がアンテナＡＢ１へ到達する時間と、無線基地局装置の同一のアンテナ（例えばＡＳ１）から送信された電波がアンテナＡＢ２へ到達する時間との到達時刻の差である遅延時間を検出するものである。第２の算出部６２は、遅延時間検出部６１によって遅延時間が検出されると、その遅延時間を受信し、遅延時間を基に無線端末装置ＳＳとの距離である第２の基地局端末間距離（例えばアンテナＡＳ１とアンテナＡＢ２とを結ぶ直線距離）を算出するものである。角度算出部６３は、第２の基地局端末間距離が算出されると、その距離から、第２の基地局端末間距離を基に角度を算出する。そして、角度が算出されると、その角度、第１の基地局端末間距離および無線基地局装置ＢＳが出力する電波の情報を基に無線端末装置ＳＳの位置を算出するものである。無線端末装置ＳＳの位置が算出されると、制御部６０は無線制御部７０およびアンテナＡＢ１、ＡＢ２を介して無線端末装置ＳＳへ無線端末装置ＳＳの位置を送信するようになっている。
【００２１】
図４は、無線端末装置ＳＳの位置を算出する場合の無線端末装置ＳＳと無線基地局装置ＢＳの位置関係を示した図である。  
図４（ａ）は、無線基地局装置ＢＳに備えられた２つのアンテナＡＢ１、ＡＢ２のうち、アンテナＡＢ１から無線端末装置ＳＳのアンテナＡＳ１、ＡＳ２で電波を受信する場合を示している。無線端末装置ＳＳのアンテナＡＳ１とアンテナＡＳ２の間の距離をＬＳＳ、アンテナＡＢ１とアンテナＡＳ１との間の距離をＬ１、アンテナＡＢ１とアンテナＡＳ２との間の距離をＬ１’と示している。また、ここでは説明の簡略化のために無線基地局装置ＢＳと無線端末装置ＳＳとの距離はアンテナＡＢ１とアンテナＡＳ１との間の距離Ｌ１とする。この距離Ｌ１の算出の仕方について説明する。
【００２２】
アンテナＡＢ１からアンテナＡＳ１へ電波が到達するまでの時間ＴＡＳ１は、光速をｃとすると、
【数１】
2010117212.tif 000003
【００２３】
という関係になる。また、アンテナＡＢ１からアンテナＡＳ２へ電波が到達するまでの時間ＴＡＳ２は、光速をｃとすると、
【数２】
2010117212.tif 000004
【００２４】
という関係になる。無線基地局装置のアンテナから送信された電波がアンテナＡＳ１へ到達する時間と、無線基地局装置の同一のアンテナから送信された電波がアンテナＡＳ２へ到達する時間との時刻の差である遅延時間ΔＴＳＳは、
【数３】
2010117212.tif 000005
【００２５】
という関係で示される。式（３）に含まれる未知数は算出したいアンテナＡＢ１とアンテナＡＳ１との間の距離Ｌ１のみであるため、式（３）から距離Ｌ１を算出することができる。このようにすることで、無線基地局装置ＢＳと無線端末装置ＳＳとの距離がわかる。
【００２６】
次に図４（ａ）で算出された距離Ｌ１が、無線基地局装置ＢＳを中心とした半径Ｌ１上のどの位置に無線端末装置ＳＳが位置するかを決定するために、無線基地局装置ＢＳのアンテナＡＢ１、ＡＢ２と無線端末装置ＳＳのアンテナＡＳ１で形成される三角形の角ＡＳ１の角度を求める。図４（ｂ）は、角ＡＳ１を算出するための無線基地局装置ＢＳおよび無線端末装置ＳＳの位置関係を示した図である。無線基地局装置ＢＳから送信される電波によって無線端末装置ＳＳが通信できる範囲であるセルＡを点線で示す。ここでは、無線基地局装置ＢＳが備えるアンテナＡＢ１、ＡＢ２は指向性のアンテナを用いた場合を示した。
【００２７】
無線端末装置ＳＳのアンテナＡＳ１と無線基地局装置ＢＳのアンテナＡＢ１との間の距離Ｌ１は図４（ａ）を参照して説明したように決定されているが、その距離Ｌ１のみではセルＡの中で無線端末装置ＳＳがどの位置にいるのかを一箇所に決定できない。無線基地局装置ＢＳの位置およびセルＡは、通常置局の際に決められているので、無線端末装置ＳＳの位置は、無線基地局装置ＢＳの位置を基準として表記する。無線基地局装置ＢＳの位置を基準として、無線端末装置ＳＳがどこに位置するのかを決定するためには、無線基地局装置ＢＳを基準とした無線端末装置ＳＳの方向などの情報があればよい。
【００２８】
例えば、無線基地局装置ＢＳのアンテナＡＢ１と無線端末装置ＳＳのアンテナＡＳ１を結ぶ直線と、無線基地局装置ＢＳのアンテナＡＢ２と無線端末装置ＳＳのアンテナＡＳ１を結ぶ直線とがなす角θを求め、この角θと第１の基地局端末間距離と、無線基地局装置ＢＳのアンテナＡＢ１から出力される電波の情報を用いて無線基地局装置ＢＳを基準とした無線端末装置ＳＳの位置を特定する。
【００２９】
ここで、角θを求めるために、無線基地局装置ＢＳのアンテナＡＢ２と無線端末装置ＳＳのアンテナＡＳ１を結ぶ直線の距離である第２の基地局端末間距離Ｌ２を求める。基地局端末間距離Ｌ２の算出方法は、第１の基地局端末間距離Ｌ１と同様に、無線基地局装置ＢＳのアンテナＡＢ１、ＡＢ２が無線端末装置ＳＳのアンテナＡＳ１からの電波を受信したときのアンテナＡＢ１、ＡＢ２の遅延時間から算出する。第１の基地局端末間距離Ｌ１、第２の基地局端末間距離Ｌ２、および固定されている無線基地局装置ＢＳのアンテナＡＢ１、ＡＢ２間の距離ＬＢＳが既知のため余弦定理により角θを求めることができる。
【００３０】
ところで、無線基地局装置ＢＳのアンテナは指向性のアンテナであるが、無指向性のアンテナを用いた場合、角θと第１の基地局端末間距離Ｌ１の情報だけでは、無線基地局装置ＢＳから見た位置が対称な２個所の位置が算出される。そのため、その位置を一箇所に特定するために無線基地局装置ＢＳのアンテナは指向性のアンテナを備える。
【００３１】
アンテナＡＢ１から出力される電波には、アンテナＡＢ１からの距離と出力する角度、電力の関係がある。そのため、角θ、第１の基地局端末間距離Ｌ１、およびアンテナＡＢ１から出力される電波の情報から無線端末装置ＳＳの位置を一箇所に特定することができる。
【００３２】
そして、無線端末装置ＳＳが、自らの無線端末装置ＳＳの位置と無線基地局装置ＢＳの位置を取得することで、無線端末装置ＳＳはどの方角から電波が到来しているかを算出することができる。また、無線端末装置ＳＳが向いている方向は、ユーザが持ち歩くたびに変化するので、無線端末装置ＳＳが向いている方向を方位磁石などで方位を測定し、その方位と無線端末装置ＳＳが受信する無線基地局装置ＢＳからの電波の到来方向とを対応させることで、表示部５０に電波の到来方向を表示することができる。
【００３３】
次に、図５を参照して無線端末装置ＳＳが受信する電波の到来方向を表示部５０に表示するための無線端末装置ＳＳおよび無線基地局装置ＢＳが行う処理の流れについて説明する。
【００３４】
まず、無線端末装置ＳＳは無線基地局装置ＢＳから送られてくる電波を受信する（Ｓ１０１）。無線端末装置ＳＳが電波を受信すると、２つのアンテナＡＳ１、ＡＳ２が受信した電波の到来時間差を遅延時間検出部１１が検出する（Ｓ１０２）。電波の到来時間差を検出すると、無線基地局装置ＢＳとの距離である第１の基地局端末間距離Ｌ１を第１の算出部１２が算出する（Ｓ１０３）。基地局端末間距離Ｌ１を算出すると、基地局端末間距離Ｌ１を無線基地局装置ＢＳへ送信する（距離通知手段）（Ｓ１０４）。無線基地局装置ＢＳは、基地局端末間距離Ｌ１を受信し、さらに無線端末装置ＳＳからの電波を受信すると（Ｓ１０５）、無線基地局装置ＢＳに備えられた２つのアンテナＡＢ１、ＡＢ２が受信した電波の到来時間差を遅延時間検出部６１が検出する（Ｓ１０６）。電波の到来時間差を検出すると、無線端末装置ＳＳとの距離である第２の基地局端末間距離Ｌ２を第２の算出部６２が算出する。そして、第１の基地局端末間距離Ｌ１、第２の基地局端末間距離Ｌ２、および無線基地局装置ＢＳのアンテナＡＢ１、ＡＢ２間の距離から角θを求め、角θ、第２の基地局端末間距離Ｌ２、および無線基地局装置ＢＳから出力する電波の情報を用いて無線端末装置ＳＳの位置を算出する（Ｓ１０７）。
【００３５】
無線基地局装置ＢＳが無線端末装置ＳＳの位置を算出すると、無線基地局装置ＢＳおよび無線端末装置ＳＳの位置の情報を無線端末装置ＳＳへ通知する（位置通知手段）（Ｓ１０８）。それらの位置の情報を受信した無線端末装置ＳＳは、どの方角から電波が到来しているかの情報を取得できる。その方角と自らの無線端末装置ＳＳとの位置関係を算出するために、自らの無線端末装置ＳＳの向きを方位磁石などで構成される方位測定部４０によって方位を測定し、自らの無線端末装置ＳＳの向きに合わせて電波の到来方向を算出し（Ｓ１０９）、電波到来方向を表示部５０に表示する（Ｓ１１０）。
【００３６】
このように、無線端末装置ＳＳおよび無線基地局装置ＢＳがＭＩＭＯアンテナを備え、このＭＩＭＯアンテナから受信する電波の遅延時間差を用いて無線端末装置ＳＳと無線基地局装置ＢＳとの間の距離である第１の基地局端末間距離および第２の基地局端末間距離を算出し、無線基地局装置ＢＳを基準とした無線端末装置ＳＳの位置を無線端末装置へ通知することで、無線端末装置ＳＳが受信する無線基地局装置ＢＳからの電波の到来方向を無線端末装置ＳＳへ表示することができる。
【００３７】
なお、本発明は、以上の構成に限定されるものではなく、種々の変形が可能である。例えば、無線端末装置ＳＳが受信する無線基地局装置ＢＳからの電波の到来方向を表示する代わりに、電波の到来方向を音声で報知するようにしてもよい。
【図面の簡単な説明】
【００３８】
【図１】本発明の一実施の形態に係る無線通信システムの構成図。
【図２】本発明の一実施の形態に係る無線通信システムに備えられた無線端末装置の構成ブロック図。
【図３】本発明の一実施の形態に係る無線通信システムに備えられた無線基地局装置の構成ブロック図。
【図４】本発明の一実施の形態に係る無線基地局装置からみた無線端末装置との位置関係を説明するための図。
【図５】本発明の一実施の形態に係る無線端末装置の位置を求めて無線端末装置に表示する際の無線通信システムにおけるシーケンス図。
【符号の説明】
【００３９】
ＳＳ…無線端末装置、ＢＳ、ＢＳ１、ＢＳ２、ＢＳ３、…、ＢＳｎ…無線基地局装置、ＮＷ…ネットワーク、ＡＳ１、ＡＳ２、ＡＢ１、ＡＢ２…アンテナ、１０、６０…制御部、１１、６１…遅延時間検出部、１２…第１の算出部、１３…電波到来方向算出部、２０、７０…無線制御部、３０、８０…メモリ、４０…方位測定部、５０…表示部、６２…第２の検出部、６３…位置算出部
【図１】
2010117212.tif 000006
【図２】
2010117212.tif 000007
【図３】
2010117212.tif 000008
【図４】
2010117212.tif 000009
【図５】
2010117212.tif 000010